(57)【要約】【課題】【解決手段】本発明は無線充電のためのコイルブロック、該コイルブロックが装着された無線充電装置及びそれらの製造方法に関するものであり、本発明の一実施例による無線充電のためのコイルブロックの製造方法は、パターンコイルに構成された２本のリード線を貫通させるための二つのリードホールが含まれた遮蔽ブロックを構成する段階と、それぞれの前記リード線を該当リードホールに貫通させて前記遮蔽ブロックの一面にパターンコイルを配置させる段階と、前記遮蔽ブロックの他面に接着部材を付着させる段階とを含むことができる。よって、本発明は、製造コストが低くて耐久性が高いコイルブロック及び該コイルブロックが装着された無線充電装置を提供することができる利点がある。【選択図】  図２
2019535142.tif 000002
【特許請求の範囲】
【請求項１】
無線充電のためのコイルブロックの製造方法であって、
パターンコイルに構成された２本のリード線を貫通させるための二つのリードホールが含まれた遮蔽ブロックを構成する段階と、
それぞれの前記リード線を該当リードホールに貫通させて前記遮蔽ブロックの一面にパターンコイルを配置させる段階と、
前記遮蔽ブロックの他面に接着部材を付着させる段階と、
を含み、
前記遮蔽ブロックの外径部に沿って前記遮蔽ブロックの一面に外部支持壁が形成され、前記外部支持壁の一側に構成された開口部を通して前記２本のリード線が前記二つのリードホールに案内され、前記二つのリードホールを含む突出部が前記開口部の延長線上に前記遮蔽ブロックに形成される、コイルブロックの製造方法。
【請求項２】
前記貫通させたリード線の終端の一部をディッピング処理する段階をさらに含む、請求項１に記載のコイルブロックの製造方法。
【請求項３】
前記ディッピング処理段階に先立ち、前記貫通させたリード線の終端の一部を曲げる段階をさらに含む、請求項２に記載のコイルブロックの製造方法。
【請求項４】
前記遮蔽ブロックは中央ホールを含み、前記中央ホールに沿って前記遮蔽ブロックの前記一面に内部支持壁が形成され、前記外部支持壁と前記内部支持壁の間に前記パターンコイルが配置される、請求項１に記載のコイルブロックの製造方法。
【請求項５】
前記遮蔽ブロックはサンダスト（Ｓａｎｄｕｓｔ）ブロックである、請求項１に記載のコイルブロックの製造方法。
【請求項６】
前記サンダストブロックは、絶縁処理されたフレーク粉末と絶縁用樹脂粉末を混合した後、熱処理によって生成された溶融樹脂を射出成形することによって生成される、請求項５に記載のコイルブロックの製造方法。
【請求項７】
前記遮蔽ブロックはフェライト系である、請求項１に記載のコイルブロックの製造方法。
【請求項８】
前記パターンコイルは偶数のコイル層を有し、底層と最上端層にそれぞれリード線が構成される、請求項１に記載のコイルブロックの製造方法。
【請求項９】
無線充電のためのコイルブロックであって、
二つのリードホールを含む遮蔽ブロックと、
前記遮蔽ブロックの一面に配置され、前記二つのリードホールに貫通される２本のリード線を含むパターンコイルと、
前記遮蔽ブロックの他面に付着される接着部材と、
を含み、
前記遮蔽ブロックは、
前記遮蔽ブロックの外径部に沿って前記遮蔽ブロックの前記一面に形成される外部支持壁と、
前記外部支持壁の一側に前記２本のリード線を前記二つのリードホールに案内するために形成された開口部と、
前記二つのリードホールが形成され、前記開口部の延長線上に配置される突出部と、
を含む、コイルブロック。
【請求項１０】
前記貫通されたリード線の終端の一部がディッピング処理された、請求項９に記載のコイルブロック。
【請求項１１】
前記ディッピング処理に先立ち、前記貫通されたリード線の終端の一部が曲げられ、前記曲げられたリード線の終端の一部がディッピング処理された、請求項１０に記載のコイルブロック。
【請求項１２】
前記遮蔽ブロックは、
中央ホールと、
前記中央ホールに沿って前記遮蔽ブロックの前記一面に形成される内部支持壁と、
をさらに含み、
前記外部支持壁と前記内部支持壁の間に前記パターンコイルが配置される、請求項９に記載のコイルブロック。
【請求項１３】
前記遮蔽ブロックはサンダスト（Ｓａｎｄｕｓｔ）ブロックである、請求項９に記載のコイルブロック。
【請求項１４】
前記サンダストブロックは、絶縁処理されたフレーク粉末と絶縁用樹脂粉末を混合した後、熱処理によって生成された溶融樹脂を射出成形することによって生成される、請求項13に記載のコイルブロック。
【請求項１５】
前記遮蔽ブロックはフェライト系である、請求項９に記載のコイルブロック。
【請求項１６】
前記パターンコイルは偶数のコイル層からなり、底層と最上端層にそれぞれ前記リード線が構成される、請求項９に記載のコイルブロック。
【請求項１７】
本体と、
前記本体の内部に装着され、無線電力を送信するための送信コイルブロックと、
前記送信コイルブロックと連結されて電力伝送を制御する送信機制御回路基板と、
前記送信機制御回路基板に電力を供給する電源と、
を含み、
前記送信コイルブロックは、
二つのリードホールを含む遮蔽ブロックと、
前記遮蔽ブロックの一面に配置され、前記二つのリードホールに貫通される２本のリード線を含むパターンコイルと、
前記遮蔽ブロックの他面に付着される接着部材と、
を含み、
前記遮蔽ブロックは、
前記遮蔽ブロックの外径部に沿って前記遮蔽ブロックの前記一面に形成される外部支持壁と、
前記外部支持壁の一側に前記２本のリード線を前記二つのリードホールに案内するために形成された開口部と、
前記二つのリードホールが形成され、前記開口部の延長線上に配置される突出部と、
を含む、無線電力送信装置。
【請求項１８】
本体と、
前記本体の内部に装着されて無線電力を受信するための受信コイルブロックと、
前記受信コイルブロックと連結され、受信された交流電力を整流し、電力受信を制御する受信機制御回路基板と、
前記受信機制御回路基板によって整流された電力を受信する負荷と、
を含み、
前記受信コイルブロックは、
二つのリードホールを含む遮蔽ブロックと、
前記遮蔽ブロックの一面に配置され、前記二つのリードホールに貫通される２本のリード線を含むパターンコイルと、
前記遮蔽ブロックの他面に付着される接着部材と、
を含み、
前記遮蔽ブロックは、
前記遮蔽ブロックの外径部に沿って前記遮蔽ブロックの前記一面に形成される外部支持壁と、
前記外部支持壁の一側に前記２本のリード線を前記二つのリードホールに案内するために形成された開口部と、
前記二つのリードホールが形成され、前記開口部の延長線上に配置される突出部と、
を含む、無線電力受信装置。
【請求項１９】
無線充電のためのコイルブロックであって、
リード固定部を含む遮蔽ブロックと、
前記遮蔽ブロックの一面に配置され、前記リード固定部に配置されるリード線を含むパターンコイルと、
前記遮蔽ブロックの他面に付着される接着部材と、
を含み、
前記遮蔽ブロックは、
前記遮蔽ブロックの外径部に沿って前記遮蔽ブロックの前記一面に形成される外部支持壁と、
前記外部支持壁の一側に形成される開口部と、
前記リード固定部が形成され、前記開口部の延長線上に配置される突出部と、
を含む、コイルブロック。
【発明の詳細な説明】
【技術分野】
【０００１】
本発明は無線充電技術に係り、より詳しくは原価節減及び工程効率の極大化が可能な無線充電のためのコイルブロック、コイルブロックが装着された無線充電装置及びそれらの製造方法を提供することである。
【背景技術】
【０００２】
無線電力伝送技術（ｗｉｒｅｌｅｓｓ  ｐｏｗｅｒ  ｔｒａｎｓｍｉｓｓｉｏｎ又はｗｉｒｅｌｅｓｓ  ｅｎｅｒｇｙ  ｔｒａｎｓｆｅｒ）は磁場の誘導原理を用いて無線で送信機から受信機に電気エネルギーを伝送する技術であり、既に１８００年代に電磁気誘導原理を用いた電気モーター又は変圧器が使われ始めた。その後にはラジオ波やレーザー、高周波、マイクロウエーブのような電磁波を放射して電気エネルギーを伝送する方法も試みされた。我々がよく使用する電動歯ブラシ又は一部の無線カミソリも実際は電磁気誘導原理で充電される。
【０００３】
現在まで無線を用いたエネルギー伝達方式は、大きくは、磁気誘導方式、磁気共振（Ｅｌｅｃｔｒｏｍａｇｎｅｔｉｃ  Ｒｅｓｏｎａｎｃｅ）方式及び短波長無線周波数を用いたＲＦ伝送方式などに区分されることができる。
【０００４】
磁気誘導方式は、２本のコイルを互いに隣接させた後、一コイルに電流を流せば、このときに発生した磁束（Ｍａｇｎｅｔｉｃ  Ｆｌｕｘ）が他のコイルに起電力を引き起こす現象を用いる技術であり、携帯電話のような小型機器を中心に早く商用化が進んでいる。磁気誘導方式は最大で数百キロワット（ｋＷ）の電力を伝送することができ、効率も高いが、最大伝送距離が１センチメートル（ｃｍ）以下であるから、一般的に充電器又は底に近接させなければならない欠点がある。
【０００５】
磁気共振方式は、電磁気波、電流などを活用する代わりに、電場又は磁場を用いる特徴がある。磁気共振方式は電磁波問題の影響をほとんど受けないので、他の電子機器や人体に安全であるという利点がある。一方、限定された距離と空間でだけ活用することができ、エネルギー伝達効率がちょっと低いという欠点がある。
【０００６】
短波長無線電力伝送方式（簡単に言えば、ＲＦ伝送方式）はエネルギーがラジオ波（Ｒａｄｉｏ  Ｗａｖｅ）の形態で直接送受信可能であるという点を活用したものである。この技術はレクテナ（ｒｅｃｔｅｎｎａ）を用いるＲＦ方式の無線電力伝送方式であり、レクテナはアンテナ（ａｎｔｅｎｎａ）と整流器（ｒｅｃｔｉｆｉｅｒ）の合成語で、ＲＦ電力を直接直流電力に変換する素子を意味する。すなわち、ＲＦ方式はＡＣラジオ波をＤＣに変換して使用する技術であり、最近に効率が向上するにつれて商用化に対する研究が活発に進んでいる。
【０００７】
無線電力伝送技術は、モバイルだけでなく、車両、ＩＴ、鉄道、家電産業などの産業全般に多様に活用されることができる。
【０００８】
一般に、無線電力送信装置は無線電力伝送のためのコイル（以下、送信コイルという）を備え、無線電力受信装置は無線電力を受信するためのコイル（以下、受信コイルという）を備える。
【０００９】
また、無線電力送信装置及び無線電力受信装置には、コイルを介して発生する電磁場又はＡＣ電力が制御回路基板に伝達されることを遮断するために遮蔽剤が使われる。
【００１０】
従来には別途の器具物（例えば、コネクター又はＣＡＮ  ＳＯＬＤＥＲなどを含む）を使って無線充電装置のコイルリードを装置に固定させ、制御回路基板に連結した。
【００１１】
また、コイルリードのために別途の器具物が使われない場合、コイルリードは収納工程によって固定されて制御回路基板に連結された。
【００１２】
しかし、別途の器具物が使われる場合、製造コストが上昇する欠点があり、コイルリードを収納する工程は別途の手工作業を要求するため、不良発生率が増加する問題点があった。
【発明の概要】
【発明が解決しようとする課題】
【００１３】
本発明は上述した従来技術の問題点を解決するために考案されたもので、本発明の目的は、無線充電のためのコイルブロック及びその製造方法を提供することである。
【００１４】
本発明の他の目的は、別途の器具物及び手工収納工程なしにコイルリードを固定させて制御回路基板に連結することが可能なコイルブロック及び該コイルブロックが装着される無線充電装置を提供することである。
【００１５】
また、本発明のさらに他の目的は、部品の組立が容易であり、耐久性が高い無線充電装置を提供するためのコイルブロック及びその製造方法を提供することである。
【００１６】
本発明で達成しようとする技術的課題は以上で言及した技術的課題に制限されず、言及しなかった他の技術的課題は下記の記載から本発明が属する技術分野で通常の知識を有する者に明らかに理解可能であろう。
【課題を解決するための手段】
【００１７】
本発明は無線充電のためのコイルブロック、該コイルブロックが装着された無線充電装置及びそれらの製造方法を提供することができる。
【００１８】
本発明の一実施例による無線充電のためのコイルブロックの製造方法は、パターンコイルに構成された２本のリード線を貫通させるための二つのリードホールが含まれた遮蔽ブロックを構成する段階と、それぞれの前記リード線を該当リードホールに貫通させ、前記遮蔽ブロックの一面にパターンコイルを配置させる段階と、前記遮蔽ブロックの他面に接着部材を付着させる段階とを含むことができる。
【００１９】
また、前記コイルブロックの製造方法は、前記貫通させたリード線の終端の一部をディッピング処理する段階をさらに含むことができる。
【００２０】
ここで、前記コイルブロックの製造方法は、前記ディッピング処理段階に先立ち、前記貫通させたリード線の終端の一部を曲げる段階をさらに含むことができる。
【００２１】
また、前記遮蔽ブロックの外径部に沿って前記遮蔽ブロックの一面に外部支持壁が形成され、前記外部支持壁の一側に構成された開口部を通して前記２本のリード線が前記二つのリードホールに案内されることができる。
【００２２】
また、前記遮蔽ブロックは中央ホールを含み、前記中央ホールに沿って前記遮蔽ブロックの前記一面に内部支持壁が形成され、前記外部支持壁と前記内部支持壁の間に前記パターンコイルが配置されることができる。
【００２３】
また、前記二つのリードホールを含む突出部が前記開口部の延長線上に前記遮蔽ブロックに形成されることができる。
【００２４】
また、前記遮蔽ブロックはサンダスト（Ｓａｎｄｕｓｔ）ブロックであってもよい。
【００２５】
ここで、前記サンダストブロックは、絶縁処理されたフレーク粉末と絶縁用樹脂粉末を混合した後、熱処理によって生成された溶融樹脂を射出成形することによって生成されることができる。
【００２６】
また、前記遮蔽ブロックはフェライト系であってもよい。
【００２７】
また、前記パターンコイルは偶数のコイル層を有し、底層と最上端層にそれぞれリード線が構成されることができる。
【００２８】
本発明の他の一実施例による無線充電のためのコイルブロックは、二つのリードホールを含む遮蔽ブロックと、前記遮蔽ブロックの一面に配置され、前記二つのリードホールに貫通される２本のリード線を含むパターンコイルと、前記遮蔽ブロックの他面に付着される接着部材とを含むことができる。
【００２９】
また、前記貫通されたリード線の終端の一部がディッピング処理されることができる。
【００３０】
ここで、前記ディッピング処理に先立ち、前記貫通されたリード線の終端の一部が曲げられ、前記曲げられたリード線の終端の一部がディッピング処理されることができる。
【００３１】
また、前記遮蔽ブロックは、前記遮蔽ブロックの外径部に沿って前記遮蔽ブロックの前記一面に形成される外部支持壁と、前記外部支持壁の一側に前記２本のリード線を前記二つのリードホールに案内するために形成された開口部とをさらに含むことができる。
【００３２】
また、前記遮蔽ブロックは、中央ホールと、前記中央ホールに沿って前記遮蔽ブロックの前記一面に形成される内部支持壁とをさらに含み、前記外部支持壁と前記内部支持壁の間に前記パターンコイルが配置されることができる。
【００３３】
また、前記遮蔽ブロックは、前記二つのリードホールが形成される突出部をさらに含み、前記突出部が前記開口部の延長線上に配置されることができる。
【００３４】
また、前記遮蔽ブロックはサンダスト（Ｓａｎｄｕｓｔ）ブロックであってもよい。
【００３５】
ここで、前記サンダストブロックは、絶縁処理されたフレーク粉末と絶縁用樹脂粉末を混合した後、熱処理によって生成された溶融樹脂を射出成形することによって生成されることができる。
【００３６】
また、前記遮蔽ブロックはフェライト系であってもよい。
【００３７】
また、前記パターンコイルは偶数のコイル層からなり、底層と最上端層にそれぞれ前記リード線が構成されることができる。
【００３８】
本発明のさらに他の一実施例による無線電力送信装置は、本体と、前記本体の内部に装着されて無線電力を送信するための送信コイルブロックと、前記送信コイルブロックと連結されて電力伝送を制御する送信機制御回路基板と、前記送信機制御回路基板に電力を供給する電源とを含み、前記送信コイルブロックは、二つのリードホールを含む遮蔽ブロックと、前記遮蔽ブロックの一面に配置され、前記二つのリードホールに貫通される２本のリード線を含むパターンコイルと、前記遮蔽ブロックの他面に付着される接着部材とを含むことができる。
【００３９】
本発明のさらに他の一実施例による無線電力受信装置は、本体と、前記本体の内部に装着されて無線電力を受信するための受信コイルブロックと、前記受信コイルブロックと連結され、受信された交流電力を整流し、電力受信を制御する受信機制御回路基板と、前記受信機制御回路基板によって整流された電力を受信する負荷とを含み、前記受信コイルブロックは、二つのリードホールを含む遮蔽ブロックと、前記遮蔽ブロックの一面に配置され、前記二つのリードホールに貫通される２本のリード線を含むパターンコイルと、前記遮蔽ブロックの他面に付着される接着部材とを含むことができる。
【００４０】
本発明のさらに他の一実施例による無線充電のためのコイルブロックは、リード固定部を含む遮蔽ブロックと、前記遮蔽ブロックの一面に配置され、前記リード固定部に配置されるリード線を含むパターンコイルと、前記遮蔽ブロックの他面に付着される接着部材とを含むことができる。
【００４１】
また、前記遮蔽ブロックは、前記遮蔽ブロックの外径部に沿って前記遮蔽ブロックの前記一面に形成される外部支持壁と、前記外部支持壁の一側に形成される開口部とをさらに含むことができる。
【００４２】
また、前記遮蔽ブロックは、前記固定部が形成される突出部をさらに含み、前記突出部が前記開口部の延長線上に配置されることができる。
【００４３】
前記本発明の様態は本発明の好適な実施例の一部に過ぎなく、本発明の技術的特徴が反映された多様な実施例が当該技術分野の通常の知識を有する者によって以下で詳述する本発明の詳細な説明によって導出されて理解されることができる。
【発明の効果】
【００４４】
本発明による方法及び装置に対する効果について説明すれば次のようである。
【００４５】
本発明は、無線充電のためのコイルブロック、該コイルブロックを備えた無線充電装置及びそれらの製造方法を提供する利点がある。
【００４６】
また、本発明は、別途の器具物及び手工収納工程なしにリード線を固定させ、コイルと制御回路基板間の連結が容易であるコイルブロック及び該コイルブロックが装着された無線充電装置を提供する利点がある。
【００４７】
また、本発明は製造コストを減らすことができるだけではなく、組立が容易であり、耐久性が高い無線充電装置を提供する利点がある。
【００４８】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００４９】
以下に添付する図面は本発明に対する理解を助けるためのもので、詳細な説明とともに本発明の実施例を提供する。ただ、本発明の技術的特徴が特定の図面に限定されるものではなく、各図で開示する特徴は互いに組み合わせられて新しい実施例に構成されることができる。
【００５０】
【図１】本発明の一実施例による無線充電システムを説明するためのブロック図である。
【００５１】
【図２】本発明の一実施例によるコイルブロックの全体的な構造を説明するための透視図である。
【００５２】
【図３】本発明の一実施例によるコイルブロックの積層構造及び組立方法を説明するための分解図である。
【００５３】
【図４】本発明の一実施例によるコイルブロックの外観を説明するための立面図である。
【００５４】
【図５】本発明の一実施例によるリード線ディッピング処理方法を説明するための図である。
【００５５】
【図６】本発明の一実施例による無線充電のためのコイルブロックの製造方法を説明するためのフローチャートである。
【００５６】
【図７】本発明の他の実施例による無線充電のためのコイルブロックの製造方法を説明するためのフローチャートである。
【００５７】
【図８】本発明の一実施例によるコイルブロックを用いた無線充電システムを説明するための図である。
【発明を実施するための形態】
【００５８】
以下、本発明の実施例が適用される装置及び多様な方法について図面を参照してより詳細に説明する。以下の説明で使う構成要素に対する接尾辞“モジュール”及び“部”は明細書作成の容易性のみを考慮して付与するか混用するもので、そのものとして互いに区別される意味又は役割を有するものではない。
【００５９】
実施例の説明において、各構成要素の“上又は下”に形成されるものとして記載する場合、上又は下は二つの構成要素が互いに直接接触するか一つ以上のさらに他の構成要素が二つの構成要素の間に配置されて形成されることを全て含む。また“上又は下”で表現する場合、一つの構成要素を基準に上方だけではなく下方の意味も含むことができる。
【００６０】
実施例の説明において、無線充電システム上で無線電力を送信する機能が搭載された装置は、説明の便宜のために、無線パワー送信機、無線パワー送信装置、無線電力送信装置、無線電力送信機、送信端、送信機、送信装置、送信側、無線パワー伝送装置、無線パワー伝送器などを混用して使うことにする。また、無線電力送信装置から無線電力を受信する機能が搭載された装置に対する表現として、説明の便宜のために、無線電力受信装置、無線電力受信機、無線パワー受信装置、無線パワー受信機、受信端末機、受信側、受信装置、受信機などを混用して使うことができる。
【００６１】
本発明による送信機は、パッド形態、据置き形態、ＡＰ（Ａｃｃｅｓｓ  Ｐｏｉｎｔ）形態、小型基地局形態、スタンド形態、天井埋込形態、壁掛け形態などに構成されることができ、一つの送信機は複数の無線電力受信装置にパワーを伝送することもできる。このために、送信機は少なくとも一つの無線パワー伝送手段を備えることもできる。ここで、無線パワー伝送手段は、電力送信端コイルで磁場を発生させ、その磁場の影響によって受信端コイルで電気が誘導される電磁気誘導原理を用いて充電する電磁気誘導方式に基づいた多様な無線電力伝送標準が使われることができる。ここで、無線パワー伝送手段は、無線充電技術標準機構であるＷＰＣ（Ｗｉｒｅｌｅｓｓ  Ｐｏｗｅｒ  Ｃｏｎｓｏｒｔｉｕｍ）及びＰＭＡ（Ｐｏｗｅｒ  Ｍａｔｔｅｒｓ  Ａｌｌｉａｎｃｅ）で定義された電磁気誘導方式の無線充電技術を含むことができる。
【００６２】
また、本発明の一実施例による受信機は少なくとも一つの無線電力受信手段を備えることができ、二つ以上の送信機から同時に無線パワーを受信することもできる。ここで、無線電力受信手段は、無線充電技術標準機構であるＷＰＣ（Ｗｉｒｅｌｅｓｓ  Ｐｏｗｅｒ  Ｃｏｎｓｏｒｔｉｕｍ）及びＰＭＡ（Ｐｏｗｅｒ  Ｍａｔｔｅｒｓ  Ａｌｌｉａｎｃｅ）で定義された電磁気誘導方式の無線充電技術を含むことができる。
【００６３】
本発明による受信機は、携帯電話（ｍｏｂｉｌｅ  ｐｈｏｎｅ）、スマートフォン（ｓｍａｒｔ  ｐｈｏｎｅ）、ノートブック型パソコン（ｌａｐｔｏｐ  ｃｏｍｐｕｔｅｒ）、デジタル放送用端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーション、ＭＰ３プレーヤー、電動歯ブラシ、電子タグ、照明装置、リモートコントローラー、浮き、スマートワッチのようなウェアラブルデバイスなどの小型電子機器などに使われることができるが、これに限られなく、本発明による無線電力受信手段が装着されてバッテリー充電が可能な機器であれば充分である。
【００６４】
図１は本発明の一実施例による無線充電システムを説明するためのブロック図である。
【００６５】
図１を参照すると、無線充電システムは、大きくは、無線で電力を送出する無線電力送信装置１０、前記送出された電力を受信する無線電力受信装置２０及び受信された電力を受ける電子機器３０を含んでなることができる。
【００６６】
ここで、電子機器３０には充電用バッテリーである負荷（図示せず）が装着されることができ、受信された電力は電子機器３０の負荷に充電されることもできる。
【００６７】
一例として、無線電力送信装置１０と無線電力受信装置２０は無線電力伝送に使われる動作周波数と同じ周波数で信号を変調して情報を交換する帯域内（Ｉｎ−ｂａｎｄ）通信を行うことができる。
【００６８】
帯域内通信において、無線電力送信装置１０によって送出された電力信号４１が無線電力受信装置２０に受信されれば、無線電力受信装置２０は受信された電力信号を変調し、変調された信号４２を無線電力送信装置１０に伝送することができる。
【００６９】
他の一例として、無線電力送信装置１０と無線電力受信装置２０は、無線電力伝送に使われる動作周波数とは違う特定の周波数を用いて情報を交換する帯域外（Ｏｕｔ−ｏｆ−ｂａｎｄ）通信を行うこともできる。
【００７０】
一例として、無線電力送信装置１０と無線電力受信装置２０との間に交換される情報は、識別情報、構成情報、状態情報及び各種の制御情報などを含むことができる。
【００７１】
無線充電システムにおける通信は全二重方式の両方向通信を提供することができるが、これに限定されず、他の実施例においては、片方向通信又は半二重方式の両方向通信を提供することもできる。
【００７２】
一例として、片方向通信は無線電力受信装置２０が無線電力送信装置１０にのみ情報を伝送する通信方式であり得るが、これに限定されず、無線電力送信装置１０が無線電力受信装置２０に情報を伝送する通信方式であってもよい。
【００７３】
半二重両方向通信方式は無線電力受信装置２０と無線電力送信装置１０間の両方向通信は可能であるが、ある一時点にある一装置によってのみ情報伝送が可能な通信方式であり得る。
【００７４】
本発明の一実施例による無線電力受信装置２０は電子機器３０の各種の状態情報を獲得することもできる。一例として、電子機器３０の状態情報は、現在電力使用量情報、実行中の応用を識別するための情報、ＣＰＵ使用量情報、バッテリー充電状態情報、バッテリー出力電圧／電流情報などを含むことができるが、これに限定されず、電子機器３０から獲得することができるとともに無線電力制御に活用することができる情報であれば充分である。
【００７５】
図２は本発明の一実施例によるコイルブロックの全体的な構造を説明するための透視図である。
【００７６】
本発明によるコイルブロックは無線電力送信装置又は（及び）無線電力受信装置に装着されることができる。
【００７７】
図２を参照すると、コイルブロック２００は、遮蔽ブロック２１０、パターンコイル２２０及び接着部材２３０を含んでなることができる。
【００７８】
遮蔽ブロック２１０の一面にはパターンコイル２２０が配置され、他面には接着部材２３０が配置される。
【００７９】
一実施例によるパターンコイル２２０は平面状の螺旋形コイルからなることができる。また、平面状の螺旋形コイルが積層されて多層構造を有することができる。ここで、前記螺旋形コイルは、円形、楕円形、多角形のいずれか一形態であってもよい。
【００８０】
一実施例によるパターンコイル２２０は蒸着又はパンチングによって形成された回路パターンで形成されることができる。
【００８１】
特に、遮蔽ブロック２１０は、パターンコイル２２０から伸びるリード線を固定するためのリード固定部を含むことができる。例えば、遮蔽ブロック２１０の一側には、パターンコイル２２０から伸びる２本のリード線（以下、説明の便宜のために、２本のリード線をそれぞれ第１リード線２２１及び第２リード線２２２という）が貫通する第１リードホール２１１及び第２リードホール２１２が形成されることができる。
【００８２】
遮蔽ブロック２１０は、中央に円形のホール（以下、説明の便宜のために、“中央ホール２１３”という）及び中央ホール２１３の外径部に沿って配置されてパターンコイル２２０の遊び（すなわち、動き）を最小化するように構成された内部支持壁２１４を含むことができる。一例として、遮蔽ブロック２１０に形成された中央ホール２１３には永久磁石が配置されることもできる。他の一例として、遮蔽ブロック２１０に形成された中央ホール２１３には各種のセンサーが装着されることもできる。一例として、センサーは、電流センサー、電圧センサー、照度センサー、静電容量センサー及び圧力センサーの少なくとも一つを含むことができる。
【００８３】
また、遮蔽ブロック２１０は、遮蔽ブロックの外径部に沿って形成される外部支持壁２１５、第１及び第２リード線２２１及び２２２をそれぞれ第１リードホール２１１及び第２リードホール２１２の方向に案内するために外部支持壁２１５の一側に形成される開口部２１６、及び開口部２１６の延長線上に外部支持壁２１５の外側方向に（例えば、直角方向に）形成され、第１リードホール２１１及び第２リードホール２１２を有する突出部２１７を含むことができる。
【００８４】
内部支持壁２１４及び外部支持壁２１５はパターンコイル２２０の電磁場が制御回路基板（図示せず）に伝達されることを遮断することができるだけではなく、パターンコイル２２０の動き及び遊びを最小化させることができる利点がある。したがって、本発明によるコイルブロック２００が装着された無線充電装置は車両のように衝撃及び振動が多い所に装着されても耐久性を維持することができる利点がある。
【００８５】
また、前記図２の実施例によるコイルブロック２００は、リード線が別途の端子連結及びソルダリング（Ｓｏｌｄｅｒｉｎｇ）工程なしに遮蔽ブロックを直接貫通するので、耐久性が高いだけでなく、組立工程を簡素化することができる利点がある。
【００８６】
したがって、本発明は別途の器具物及び手工収納工程なしにリード線を固定させ、コイルと制御回路基板間の連結が容易であるコイルブロック及び該コイルブロックが装着された無線充電装置を提供する利点がある。
【００８７】
また、本発明は、端子の構成に必要な器具物を除去することにより、製造コストを減らすことができるだけではなく、組立が容易であり、耐久性が高いコイルブロック及び無線充電装置を提供することができる利点がある。
【００８８】
また、本発明によるコイルブロックは無線電力送信装置だけではなく、無線電力受信装置にも搭載されることができる利点がある。
【００８９】
実施例によるパターンコイル２２０は、コイルの巻線及び配置方法によって、２本以上の複数本のリード線を含むことができる。例えば、三つのコイルを一部重畳するように配置した場合、外部から伸びる６本のリード線を含むことができる。
【００９０】
実施例によるリード固定部、例えばリードホール２１１、２１２はパターンコイル２２０が含むリード線の本数によって複数が形成されることができる。また、リード線の本数を考慮して、開口部及び突出部が複数形成されることができる。
【００９１】
実施例によるリード固定部はリード線が貫通するようにリードホール２１１、２１２の形態に形成されることもでき、たとえ貫通しなくてもリード線を固定することができる形態（例えば、凹凸構造、溝形）であれば充分である。よって、リード溝又は形態に形成されることもできる。
【００９２】
実施例による遮蔽ブロック２１０は、外部支持壁２１５に開口部２１６が形成されず、外部支持壁２１５にリード線が貫通する別途のリードホールが配置されることができる。このような場合、リード線が外部支持壁２１５と突出部２１７に配置されたリード固定部（リードホール）によって固定されるので、耐久性がもっと堅固になるだけでなく、遮蔽効果を一層高めることができる。
【００９３】
実施例による遮蔽ブロック２１０は、外部支持壁２１５に開口部２１６を形成するとき、外部支持壁２１５を全く除去せず、周辺領域より低い支持壁を形成するか、一部のみ貫通されるように形成することができる。この場合、リード線を外側に連結しながらも遮蔽効果をもっと高めることができる。
【００９４】
実施例による遮蔽ブロック２１０は、開口部２１６の開口領域の幅が突出部２１７の幅より小さく形成されることができる。よって、突出部２１７がもっと堅固に遮蔽ブロック２１０に結合されることができるように形成することができる。
【００９５】
実施例による遮蔽ブロック２１０は内部支持壁２１4に開口部又はリード固定部が配置され、リード線が遮蔽ブロック２１０及びパターンコイル２２０の内側に連結されることができる。この際、非常に狭い領域にコイルブロック２００を配置しなければならない場合、コイルブロック２００が占める領域を最小化することができる効果がある。また、外部支持壁２１５の開口部又はリード固定部を省略することができるので、遮蔽効果を一層高めることができる。
【００９６】
実施例による遮蔽ブロック２１０は、内部支持壁２１4と外部支持壁２１５の間にパターンコイル２２０と重畳しない領域にリード固定部が配置されることができる。ここで、リード固定部はリード線が貫通するようにリードホールの形態に形成され、リード線を全く取り囲むように形成されることができる。この際、非常に狭い領域にコイルブロック２００を配置しなければならない場合、コイルブロック２００が占める領域を最小化することができる効果がある。
【００９７】
また、内部支持壁２１4と外部支持壁２１５による遮蔽効果をもっと高めることができる。
【００９８】
図３は本発明の一実施例によるコイルブロックの積層構造及び組立方法を説明するための分解図である。
【００９９】
詳細に、図３は前述した図２のコイルブロック２００の分解斜視図である。
【０１００】
本実施例によるコイルブロック２００の構成要素である遮蔽ブロック２１０はサンダストブロック（Ｓａｎｄｕｓｔ  Ｂｌｏｃｋ）からなることができるが、これに限定されず、フェライト（Ｆｅｒｒｉｔｅ）系からなることもできる。ここで、フェライト系は、Ｎｉ−Ｚｎ−Ｃｕ系、Ｎｉ−Ｚｎ系及びＭｎ−Ｚｎ系のいずれか１種であり得るが、これに限定されない。
【０１０１】
サンダストブロックは、金属粉末と絶縁用樹脂粉末の混合及び熱処理によって溶融樹脂を生成し、生成された溶融樹脂を予め製作された鋳物に注入した後、射出成形することによって製作することができる。
【０１０２】
一例として、絶縁樹脂粉末はポリイミド系樹脂又はフェノール係樹脂であってもよい。一般に、サンダストブロックはフェライト系に比べて強度及び耐久性が高いが、優れた絶縁特性を確保しにくい問題点がある。これを解決するために、サンダストブロックの製造工程は、金属粉末を圧縮成形して板状のフレーク（Ｆｌａｋｅ）粉末に変形し、酸化膜の形成されたフレーク粉末の表面を絶縁処理（例えば、絶縁樹脂コーティング）する工程を含むことができる。
【０１０３】
パターンコイル２２０は円形の内径部２２３と外径部２２４を含むコイルパターンを有し、コイルの両端はそれぞれ第１リード線２２１及び第２リード線２２２からなることができる。
【０１０４】
また、パターンコイル２２０は複数の層を有するように構成されることができる。一例として、パターンコイル２２０は偶数の層を有することができる。この場合、第１リード線２２１は底層に構成され、第２リード線２２2は最上層に構成されることができる。
【０１０５】
遮蔽ブロック２１０とパターンコイル２２０の結合時、第１リード線２２１及び第２リード線２２２が第１リードホール２１１及び第２リードホール２１２に易しく貫通することができるように、図面番号２２５で示したように、第１リード線２２１及び第２リード線２２２が曲がることができる。
【０１０６】
パターンコイル２２０の内径部２２３が遮蔽ブロック２１０の内部支持壁２１４に接し、第１リード線２２１及び第２リード線２２２がそれぞれ遮蔽ブロック２１０の外部支持壁２１５に形成された開口部２１６を通し、突出部２１７に形成された第１リードホール２１１及び第２リードホール２１２を貫通するように組み立てられることができる。
【０１０７】
その後、パターンコイル２２０が配置されていない遮蔽ブロック２１０の他面に接着部材２３０が付着されることができる。
【０１０８】
したがって、本発明は、端子の構成に必要な器具物を遮蔽ブロックから除去することにより、コイルブロックの製造コストを減らすことができるだけではなく、組立が容易であり、耐久性が高いコイルブロック及び該コイルブロックが装着された無線充電装置を提供することができる利点がある。
【０１０９】
図４は本発明の一実施例によるコイルブロックの外観を説明するための立面図である。
【０１１０】
詳細に、図４は前述した図２のコイルブロック２００の外観を説明するための正面図４１０、左側面図４２０、右側面図４３０、平面図４４０及び底面図４５０を示す。
【０１１１】
図５は本発明の一実施例によるリード線のディッピング処理方法を説明するための図である。
【０１１２】
本発明の一実施例によるコイルブロック製造工程は、コイルブロック２００と制御回路基板（図示せず）間の連結を容易にするために、コイルブロック２００のリード線に対するディッピング（Ｄｉｐｐｉｎｇ）処理を含むことができる。
【０１１３】
図面番号５１０及び図面番号５２０で示したように、突出部２１７に形成された第１リードホール２１１及び第２リードホール２１２を貫通した第１リード線２２１及び第２リード線２２２の端部の一部表面にソルダリング材料５１１、５２１（例えば、鉛、スズ、アルミニウムなどの合金であり得るが、これに限定されない）が塗布されることができる。
【０１１４】
本発明の他の一実施例は、図面番号５３０で示したように、第１リードホール２１１及び第２リードホール２１２を貫通した第１リード線２２１及び第２リード線２２２の一部を曲げた後、曲げられたリード線の端部の一部にソルダリング材料５３１を塗布することもできる。
【０１１５】
したがって、本発明はコイルブロック２００と制御回路基板（図示せず）間のリード線連結が容易である利点がある。
【０１１６】
図６は本発明の一実施例による無線充電のためのコイルブロックの製造方法を説明するためのフローチャートである。
【０１１７】
図６を参照すると、コイルブロックの製造方法は下記の４段階から構成されることができる。
【０１１８】
第１段階：パターンコイルに構成された２本のリード線が貫通するように二つのリードホールが含まれた遮蔽ブロックを構成する段階（Ｓ６１０）。一例として、二つのリードホールは遮蔽ブロックの一側に形成された突出部に構成されることができる。
【０１１９】
第２段階：２本のリード線がそれぞれの該当リードホールに貫通するように遮蔽ブロックの一面に形成された内側支持壁と外側支持壁の間にパターンコイルを配置させる段階（Ｓ６２０）。
【０１２０】
第３段階：貫通させた２本のリード線のそれぞれの終端の一部をディッピング処理する段階（Ｓ６３０）。
【０１２１】
第４段階：パターンコイルが配置されていない遮蔽ブロックの他面に接着部材を付着させる段階（Ｓ６４０）。ここで、接着部材は両面絶縁テープであり得るが、これに限定されない。
【０１２２】
図７は本発明の他の実施例による無線充電のためのコイルブロックの製造方法を説明するためのフローチャートである。
【０１２３】
図７を参照すると、コイルブロックの製造方法は下記の５段階を含んでなることができる。
【０１２４】
第１段階：パターンコイルを構成する２本のリード線をそれぞれ該当リードホールに案内するための開口部、及び開口部に沿って形成され、二つのリードホールを含む突出部を有する遮蔽ブロックを構成する段階（Ｓ７１０）。ここで、開口部は遮蔽ブロックの外側支持壁の一部に形成されることができる。
【０１２５】
第２段階：２本のリード線がそれぞれの該当リードホールに貫通するように遮蔽ブロックの  一面に形成された内側支持壁と外側支持壁の間にパターンコイルを配置させる段階（Ｓ７２０）。
【０１２６】
第３段階：貫通させた２本のリード線のそれぞれの終端の一側を曲げる段階（Ｓ７３０）。
【０１２７】
第４段階：曲げられたリード線をディッピング処理する段階（Ｓ７４０）。
【０１２８】
第５段階：パターンコイルが配置されていない遮蔽ブロックの他面に接着部材を付着させる段階（Ｓ７４０）。
【０１２９】
図８は本発明の一実施例によるコイルブロックを用いた無線充電システムを説明するための図である。
【０１３０】
図８を参照すると、無線充電システムは、大きくは、無線電力送信装置８１０と無線電力受信装置８２０を含んでなることができる。
【０１３１】
無線電力送信装置８１０は、電源８１１、送信機制御回路基板８１2、送信コイルブロック８１３及び送信機ハウジング（又は送信機本体）８１４を含んでなることができる。
【０１３２】
送信機制御回路基板８１８は、電源８１１から供給される直流電力を特定の直流電力に変換する電力変換器、変換された直流電力を特定の動作周波数を有する交流電力に変換するインバーター、無線電力受信装置８２０との通信のための変／復調装置及び送信機の全体的な動作を制御するための制御装置（例えば、マイクロプロセッサー）などを含んでなることができる。
【０１３３】
また、送信機制御回路基板８１８は、送信コイルブロック８１３のディッピング処理されたリード線８１５を連結するための連結端子を備えることができる。
【０１３４】
送信コイルブロック８１３の構造は前述した図２〜図５の説明で代える。
【０１３５】
無線電力受信装置８２０は、受信コイルブロック８２１、受信機制御回路基板８２２、負荷８２３及び受信機ハウジング（又は受信機本体）８２４を含んでなることができる。
【０１３６】
ここで、受信コイルブロック８２１の説明は前述した図２〜図５の説明で代える。
【０１３７】
受信コイルブロック８２１を介して受信された交流電力はリード線８２５を介して受信機制御回路基板８２２に伝達されることができる。このために、受信機制御回路基板８２２の一側には受信コイルブロック８２１のディッピング処理されたリード線８２５を連結するための連結端子を備えることができる。
【０１３８】
受信機制御回路基板８２２は、受信された交流電力を直流電力に変換するための整流器、整流された直流電力を負荷８２３が要求する特定の電力に変換する電力変換器、無線電力送信装置８１０との通信のための変／復調装置、受信機の全体的な動作を制御する制御装置（例えば、マイクロプロセッサー）などを含んでなることができる。
【０１３９】
本実施例による送信コイルブロック８13及び受信コイルブロック８２１は前述した図２〜図７に示した構造及び製造方法によって構成されることができる。ただ、送信コイルブロック８13及び受信コイルブロック８２１の詳細形態及び構成の態様は当業者の設計目的、該当送信コイルブロック８13及び受信コイルブロック８２１が適用される標準及び製品仕様などによって一部が違って構成されることができることに気を付けなければならない。
【０１４０】
本発明のサンダストブロックの製造に使われる金属合金軟磁性粉末は、伝統的な急速凝固法（ＲＳＰ）の一つである単圧延法（ｓｉｎｇｌｅ  ｒｏｌｌｉｎｇ  ｐｒｏｃｅｓｓ）で高速冷却製造されたリボン（ｒｉｂｂｏｎ）を機械的に微粉砕するか、高圧水噴霧法（Ｈｉｇｈ  ｐｒｅｓｓｕｒｅ  ｗａｔｅｒ  ａｔｏｍｉｚａｔｉｏｎ）で製造することができる。他の一例として、金属合金軟磁性粉末は、高炉で溶融した合金原料が高炉の下端一側に備えられたノズルを通して自由落下すれば、落下する溶湯に高圧の不活性冷却ガス（例えば、窒素（Ｎ２）、ヘリウム（Ｈｅ）、ネオン（Ｎｅ）、アルゴン（Ａｒ）などを含む）を噴射ノズルを通して噴射することによって急速冷却させて獲得することができるが、これは一実施例に過ぎなく、他の多様な方式で金属合金軟磁性粉末を獲得することができる。
【０１４１】
本発明の一実施例によるフレーク粉末の表面絶縁処理のために使われる化学添加剤は、リン酸塩、ケノルーブ、カオリン、滑石、水酸化マグネシウム、酸化アルミニウム（Ａｌ２Ｏ３）、ステアリン酸亜鉛（Ｚｎ−Ｓｔｅａｒａｔｅ）、ステアリン酸マグネシウム（Ｍｇ−Ｓｔｅａｒａｔｅ）、水ガラス（Ｗａｔｅｒ  Ｇｌａｓｓ）などのケイ素（Ｓｉ）系、カルシウム（Ｃａ）系、亜鉛（Ｚｎ）系などを使うことができるが、これに限定されない。
【０１４２】
本発明は本発明の精神及び必須の特徴を逸脱しない範囲内で他の特定の形態に具体化されることができるのは当業者に明らかである。
【０１４３】
したがって、前記の詳細な説明は全ての面で制限的に解釈されてはいけなく、例示的なものと考慮されなければならない。本発明の範囲は添付の請求項の合理的解釈によって決定されなければならなく、本発明の等価的範囲内での全ての変更は本発明の範囲に含まれる。
【図１】
2019535142.tif 000003
【図２】
2019535142.tif 000004
【図３】
2019535142.tif 000005
【図４】
2019535142.tif 000006
【図５】
2019535142.tif 000007
【図６】
2019535142.tif 000008
【図７】
2019535142.tif 000009
【図８】
2019535142.tif 000010
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
無線充電のためのコイルブロックの製造方法であって、
パターンコイルに構成された２本のリード線を貫通させるための二つのリードホールが含まれた遮蔽ブロックを構成する段階と、
それぞれの前記リード線を該当リードホールに貫通させて前記遮蔽ブロックの一面にパターンコイルを配置させる段階と、
前記遮蔽ブロックの他面に接着部材を付着させる段階と、
を含み、
前記遮蔽ブロックの外径部に沿って前記遮蔽ブロックの一面に外部支持壁が形成され、前記外部支持壁の一側に構成された開口部を通して前記２本のリード線が前記二つのリードホールに案内され、前記二つのリードホールを含む突出部が前記開口部の延長線上に前記遮蔽ブロックに形成される、コイルブロックの製造方法。
【請求項２】
前記貫通させた２本のリード線の終端の一部にディッピング処理する段階をさらに含む、請求項１に記載のコイルブロックの製造方法。
【請求項３】
前記ディッピング処理する段階に先立ち、前記貫通させた２本のリード線の終端の一部を曲げる段階をさらに含む、請求項２に記載のコイルブロックの製造方法。
【請求項４】
前記遮蔽ブロックは中央ホールを含み、前記中央ホールに沿って前記遮蔽ブロックの前記一面に内部支持壁が形成され、前記外部支持壁と前記内部支持壁の間に前記パターンコイルが配置される、請求項１〜３のいずれか一項に記載のコイルブロックの製造方法。
【請求項５】
前記遮蔽ブロックはサンダスト（Ｓａｎｄｕｓｔ）ブロックである、請求項１〜４のいずれか一項に記載のコイルブロックの製造方法。
【請求項６】
前記サンダストブロックは、絶縁処理されたフレーク粉末と絶縁用樹脂粉末を混合した後、熱処理によって生成された溶融樹脂を射出成形することによって生成される、請求項５に記載のコイルブロックの製造方法。
【請求項７】
前記遮蔽ブロックはフェライト系である、請求項１〜４のいずれか一項に記載のコイルブロックの製造方法。
【請求項８】
前記パターンコイルは偶数のコイル層を有し、底層と最上端層にそれぞれリード線が構成される、請求項１〜４のいずれか一項に記載のコイルブロックの製造方法。
【請求項９】
無線充電のためのコイルブロックであって、
二つのリードホールを含む遮蔽ブロックと、
前記遮蔽ブロックの一面に配置され、前記二つのリードホールに貫通される２本のリード線を含むパターンコイルと、
前記遮蔽ブロックの他面に付着される接着部材と、
を含み、
前記遮蔽ブロックは、
前記遮蔽ブロックの外径部に沿って前記遮蔽ブロックの前記一面に形成される外部支持壁と、
前記外部支持壁の一側に前記２本のリード線を前記二つのリードホールに案内するために形成された開口部と、
前記二つのリードホールが形成され、前記開口部の延長線上に配置される突出部と、
を含む、コイルブロック。
【請求項１０】
前記貫通された２本のリード線の終端の一部が曲がり、前記曲がった２本のリード線の終端の一部がディッピング処理された、請求項９に記載のコイルブロック。
【請求項１１】
前記遮蔽ブロックは、
中央ホールと、
前記中央ホールに沿って前記遮蔽ブロックの前記一面に形成される内部支持壁と、
をさらに含み、
前記外部支持壁と前記内部支持壁の間に前記パターンコイルが配置される、請求項９又は１０に記載のコイルブロック。
【請求項１２】
前記遮蔽ブロックは絶縁処理されたフレーク粉末と絶縁用樹脂粉末を混合した後、熱処理によって生成された溶融樹脂を射出成形することによって生成されるサンダスト（Ｓａｎｄｕｓｔ）ブロックである、請求項９〜１１のいずれか一項に記載のコイルブロック。
【請求項１３】
前記遮蔽ブロックはフェライト系である、請求項９に記載のコイルブロック。
【請求項１４】
前記パターンコイルは偶数のコイル層からなり、底層と最上端層にそれぞれ前記リード線が構成される、請求項９に記載のコイルブロック。
【請求項１５】
本体と、
前記本体の内部に装着され、無線電力を送信するための送信コイルブロックと、
前記送信コイルブロックと連結されて電力伝送を制御する送信機制御回路基板と、
前記送信機制御回路基板に電力を供給する電源と、
を含み、
前記送信コイルブロックは、
二つのリードホールを含む遮蔽ブロックと、
前記遮蔽ブロックの一面に配置され、前記二つのリードホールに貫通される２本のリード線を含むパターンコイルと、
前記遮蔽ブロックの他面に付着される接着部材と、
を含み、
前記遮蔽ブロックは、
前記遮蔽ブロックの外径部に沿って前記遮蔽ブロックの前記一面に形成される外部支持壁と、
前記外部支持壁の一側に前記２本のリード線を前記二つのリードホールに案内するために形成された開口部と、
前記二つのリードホールが形成され、前記開口部の延長線上に配置される突出部と、
を含む、無線電力送信装置。
【請求項１６】
前記貫通された２本のリード線の終端の一部が曲がり、前記曲がった２本のリード線の終端の一部がディッピング処理された、請求項１５に記載の無線電力送信装置。
【請求項１７】
前記遮蔽ブロックは、
中央ホールと、
前記中央ホールに沿って前記遮蔽ブロックの前記一面に形成される内部支持壁と、
をさらに含み、
前記外部支持壁と前記内部支持壁の間に前記パターンコイルが配置される、請求項１５又は１６に記載の無線電力送信装置。
【請求項１８】
前記遮蔽ブロックは絶縁処理されたフレーク粉末と絶縁用樹脂粉末を混合した後、熱処理によって生成された溶融樹脂を射出成形することによって生成されるサンダスト（Ｓａｎｄｕｓｔ）ブロックである、請求項１５〜１７のいずれか一項に記載の無線電力送信装置。
【請求項１９】
前記パターンコイルは偶数のコイル層を有し、底層と最上端層にそれぞれリード線が構成される、請求項１５〜１８のいずれか一項に記載の無線電力送信装置。
【請求項２０】
前記遮蔽ブロックはフェライト系である、請求項１５に記載の無線電力送信装置。
【国際調査報告】
2019535142.tif 000011
2019535142.tif 000012
2019535142.tif 000013
2019535142.tif 000014